(57)【特許請求の範囲】
【請求項１】
固体撮像素子と前記固体撮像素子を駆動するためのＩＣとを搭載するカメラ用回路基板と、前記カメラ用回路基板が取り付けられる本体とを有し、
前記カメラ用回路基板には、前記本体に固定するための位置決め用凹部が設けられ、
前記本体の前記位置決め用凹部に嵌合する位置には、位置決め用凸部が設けられ、
前記位置決め用凹部と前記位置決め用凸部とが嵌合することにより位置決め部を構成し、
前記カメラ用回路基板は、前記本体に少なくとも２つの位置決め部により面方向に位置決めされており、
前記カメラ用回路基板の一方の位置決め部を含む一端は、前記本体により挟持されており、
前記カメラ用回路基板の他方の位置決め部を含む他端は、厚み方向に変位が可能に前記本体と前記カメラ用回路基板との間に間隙が設けてある
ことを特徴とする固体撮像装置。
【請求項２】
請求項１において、前記本体には、前記ＩＣに対向する弾性部材が設けてあることを特徴とする固体撮像装置。
【発明の詳細な説明】
【０００１】
【発明の属する技術分野】
本発明は、固体撮像素子を用いて撮像する固体撮像装置に関する。
【０００２】
【従来の技術】
従来、この種の装置では、図３に示すように、カメラ用回路基板１の表面に固体撮像素子２を接続し、固体撮像素子２により撮像可能な位置にカメラユニット４を搭載している。固体撮像素子２を駆動するためのＩＣ（ＤＳＰ）３をカメラ用回路基板１の裏面に接続して固体撮像装置を構成している。この固体撮像装置を本体に取り付けるには、カメラ用回路基板１の外周の複数箇所を、本体の取付板３１とケース３２とで強固に挟持し、カメラユニットの前端をケース３２の開口３２ａに嵌合させている。
【０００３】
【発明が解決しようとする課題】
このような従来の構成では、落下等により本体に外力が作用すると、この外力は取付板３１、ケース３２から直接固体撮像装置に及び、このために固体撮像装置が損傷するという問題点があった。例えば、カメラ用回路基板１は外周の両端を取付板３１とケース３２とで挟持されているため外力が作用すると、その中央部付近で外力が集中しＩＣ３やカメラユニット４がカメラ用回路基板１から脱落したり割れたりする恐れがあった。
そこで本発明は、本体に及んだ外力が固体撮像装置に直接及ぶことが無いようにし、外力による固体撮像装置の損傷を減少させるようにする。
【０００４】
【課題を解決するための手段】
本発明の固体撮像装置は、固体撮像素子と前記固体撮像素子を駆動するためのＩＣとを搭載するカメラ用回路基板と、前記カメラ用回路基板が取り付けられる本体とを有し、前記カメラ用回路基板には、前記本体に固定するための位置決め用凹部が設けられ、前記本体の前記位置決め用凹部に嵌合する位置には、位置決め用凸部が設けられ、前記位置決め用凹部と前記位置決め用凸部とが嵌合することにより位置決め部を構成し、前記カメラ用回路基板は、前記本体に少なくとも２つの位置決め部により面方向に位置決めされており、前記カメラ用回路基板の一方の位置決め部を含む一端は、前記本体により挟持されており、前記カメラ用回路基板の他方の位置決め部を含む他端は、厚み方向に変位が可能に前記本体と前記カメラ用回路基板との間に間隙が設けてあることを特徴としている。カメラ用回路基板が片持支持されているので、本体に外力が作用してもカメラ用回路基板の他端部は自由端であるので、カメラ用回路基板が振動することにより外力を逃し、カメラ用回路基板中央部付近に外力が集中するのを防ぐ。このため、固体撮像装置を損傷させることが無い。
前記本体には、前記ＩＣに対向する弾性部材が設けてあることが好ましい。
【０００５】
【発明の実施の形態】
本発明の実施の一形態について、図面を参照して説明する。
図１及び図２に示すように、カメラ用回路基板１は、基板の表面及び裏面に不図示の回路パターンを形成し、スルーホールを介して表裏両面の回路パターンを導通させてある。カメラ用回路基板１の表面には、固体撮像素子２が接続してあり、背面には、固体撮像素子２を駆動するためのＩＣ（ＤＳＰ）３が不図示の接続端子を介して接続してある。固体撮像素子２は表面に撮像面２ａが裏面に接続端子があるタイプのものである。
【０００６】
カメラ用回路基板１の表面には、固体撮像素子２の撮像面２ａ上に撮像可能な位置に、カメラユニット４が搭載してある。カメラユニット４は、第１レンズ鏡筒４１と第２レンズ鏡筒４２とを螺合させ、第１レンズ鏡筒４１内にレンズ５等の光学部材を挿入し、レンズ押え４３でレンズ５を脱出不能に保持してなるものである。レンズ押え４３は、レンズ押えの外周から突出させた爪４３ａを、第１レンズ鏡筒４１の内周に設けた突部４１ａに係止させることにより固定される。第１レンズ鏡筒４１を第２レンズ鏡筒４２に対して回転することにより、レンズ５と撮像面２ａとの距離を調整でき、ピントの合せ込みが可能である。レンズ押え４３と第１レンズ鏡筒４１とには、外部からの光を撮像面２ａに導く開口４３ｂ及び４１ｂが設けてある。
【０００７】
図２に示すように、カメラ用回路基板１には、本体に位置決めして固定するために３個の位置決め用凹部１ａ，１ｂ，１ｃが形成してある。カメラ用回路基板１には固体撮像素子２が接続してあると共に、抵抗、コンデンサ、ダイオード等の回路素子１０が接続してある。固体撮像素子２には、角部に方向を示す目印２ｂが設けてある。またカメラ用回路基板１の位置決め用凹部１ａ，１ｂ側の端部には、固体撮像素子２の動作チェック用ランド１１が設けてある。動作チェック用ランド１１の形成部に対応する反対側の面には、本体側の基板との導通を取るためのフレキシブルプリント基板（ＦＰＣ）との接続用の接続パターン（不図示）が設けてある。
【０００８】
カメラ用回路基板１は図１に示すように、本体の取付板６とケース７とにより挟持されている。即ち、取付板６には、位置決め用凹部１ａ，１ｂ，１ｃに嵌合する位置に位置決め用凸部６ａ，６ｂ，６ｃが突設してあり、位置決め用凹部１ａ，１ｂ，１ｃに位置決め用凸部６ａ，６ｂ，６ｃが嵌合することによりカメラ用回路基板１の位置決め部を構成している。取付板６の位置決め用凸部６ａ，６ｂの回りには、カメラ用回路基板１の下面に対接可能な取付台部６ｄが設けてある。位置決め用凸部６ａ，６ｂを含む取付台部６ｄに対向するように、ケース７から押え柱７ａが垂設し、その下端面は、カメラ用回路基板１の上面に対接している。他方、位置決め用凸部６ｃの上端面は他の位置決め用凸部６ａ，６ｂの上端面と同一位置に設定してあるが、位置決め用凸部６ｃの回りの取付台部６ｅは、カメラ用回路基板１の下面と所定の間隙ｇを隔てて対向するように、取付台部６ｄよりも低い位置に設定してある。位置決め用凸部６ｃを含む取付台部６ｅに対向するようにケース７から押え柱７ｂが垂設している。押え柱７ｂの下端面は、カメラ用回路基板１の上面と位置決め用凸部６ｃの上端面に対接するように設定してある。一例として、この間隙ｇは、０．３ｍｍに設定してもよい。
【０００９】
このために、カメラ用回路基板１は、位置決め用凹部１ａ，１ｂ近傍では、取付台部６ｄと押え柱７ａとにより強固に挟持されている。これに対して、位置決め用凹部１ｃ近傍で、押え柱７ｂがカメラ用回路基板１の上面と位置決め用凸部６ｃの上端面とに対接する状態では、取付台部６ｅとカメラ用回路基板１の下面との間に間隙ｇがあるので、カメラ用回路基板１は間隙ｇだけ上下に移動可能である。換言すれば、カメラ用回路基板１は片持支持されている。
取付板６には、ＩＣ３の下面一帯に凹部６ｆが設けてあり、この凹部６ｆ内のＩＣ３と対向する位置に、僅かの間隙を設けてゴムパット等の弾性部材８が固定してある。
【００１０】
このような構成であるので、カメラ用回路基板１を本体の取付板６とケース７
により固定した状態では、カメラ用回路基板１は位置決め用凹部１ａ，１ｂ，１ｃと取付板６の位置決め用凸部６ａ，６ｂ，６ｃが嵌合しているので、その面方向には移動できず位置決めされている。しかし、厚み方向には、位置決め用凹部１ｃ側に設けられている間隙ｇによって片側の変位が可能である。このために、本体の落下等によって衝撃的に外力が作用した際には、カメラ用回路基板１の自由端が厚み方向に振動して衝撃力がカメラ用回路基板１の中央部付近に集中するのを防ぎ、ＩＣ３が弾性部材８に接することにより振動が素早く抑制される。このため、カメラ用回路基板１からＩＣ３やカメラユニット４や回路素子１０が脱落したり割れたりする恐れがなくなる。
【００１１】
【発明の効果】
このように本発明は、カメラ用回路基板が本体に片持支持されているので、本体に及んだ外力がカメラ用回路基板の中央部付近に集中することがなくカメラユニットやＩＣ等の回路素子に及ぶ外力による損傷を減少させることができる。ＩＣに対向して弾性部材を設けてあるので、外力によりカメラ用回路基板が振動してもその振動を速やかに減衰させ、固体撮像装置を正常位置に保つように作用し、これにより固体撮像装置の損傷を防止できる。
【図面の簡単な説明】
【図１】  本発明の実施の一形態を示す断面図である。
【図２】  同上、カメラ用回路基板の表面図である。
【図３】  従来例を示す断面図である。
【符号の説明】
１                カメラ用回路基板
２                固体撮像素子
３                ＩＣ
６                本体（取付板）
７                本体（ケース）
１ａ，１ｂ，１ｃ  位置決め用凹部
６ａ，６ｂ，６ｃ  位置決め用凸部
【図１】
0003863033.tif 000002
【図２】
0003863033.tif 000003
【図３】
0003863033.tif 000004